(57)【要約】【課題】ユーザが現在関心のある情報の収集を支援するための持続的状況認識ガイドを提供する。【解決手段】複数のドキュメントからなるコーパスから選択されて現在表示枠に表示され、ユーザが閲覧しているコンテンツ部分を分析してユーザが関心のある情報項目を判断し、前記コンテンツ部分又はコーパス内から前記情報項目に関連する部分を抽出してそのリストをガイド要素として作成し、前記ガイド要素を持続的状況認識ガイド表示としてユーザに表示する。【選択図】図２
2008033929.tif 000002
【特許請求の範囲】
【請求項１】
持続的状況認識ガイドを提供する方法であって、
コーパスからコンテンツ部分を表示し、
前記コンテンツ部分から情報項目を判別し、
前記コンテンツ部分からの前記情報項目に対応する、前記コーパスに対するガイド要素のセットを決定し、
前記ガイド要素のセットを持続的状況認識ガイドに表示すること、
を含む方法。
【請求項２】
前記コーパスは、本のページ、ウェブページ、デジタルライブラリの作品、および、情報フィードの作品の少なくとも１つを含む、請求項１記載の方法。
【請求項３】
前記コンテンツ部分の情報項目を判別することは、トピック識別、および、抽出されたエンティティ識別の少なくとも一方を含む、請求項１記載の方法。
【請求項４】
持続的状況認識ガイドを提供するシステムであって、
コンテンツ部分のコーパスから前記コンテンツ部分を抽出するための入出力マネージャと、
現在表示されたコンテンツ部分の動的ユーザ関心情報を判断するためのコンテンツ分析マネージャと、
コーパスガイド要素のセットと前記判断された動的ユーザ関心情報との関連性に基づいて、関心あるコーパスガイド項目を決定するための関心度マネージャと、
前記コンテンツ部分および前記関心コーパスガイド項目に基づいて、持続的状況認識ガイドを決定するための持続的状況認識ガイドマネージャと、
を備えるシステム。
【発明の詳細な説明】
【技術分野】
【０００１】
本発明は、情報アクセスに関し、持続的状況認識ガイドを提供するシステム及び方法に関する。
【背景技術】
【０００２】
関連のある情報の採集（フォレージング）は、ユーザには不必要に困難である。従来の検索エンジンでは、ユーザは、クエリー（問合せ）を作らなければならない。しかし、クエリーを作るには、最初のクエリーを発し、その結果を見る等、ユーザには数反復かかることがある。これはユーザが、自分が何を求めているかをまだ正確には知らず、何が入手可能であるかを正確には知らないからである。さらに、小型のモバイル装置では、クエリーテキスト入力は行いづらく、時間がかかるものである。
【０００３】
また、従来の検索エンジンの主要な収入源は、広告による。従来の検索エンジンは、ユーザに、スポンサーリンクまたはターゲットとされる広告を呈する機会が限定されている。従来のサーチエンジンでは主に、ユーザが検索結果ページを見るときに広告を呈する。しかし、ひとたびユーザが結果リンクをクリックすると、ユーザのブラウザがリンクしたページから情報をロードするため、広告は消える。
【０００４】
情報の手がかり（Information scent）に基づいたいくつかの従来のシステムは、検索用語およびインデックスを受け取り、より大きなインデックスのもっとも近い関係の単語に基づいて、より小さなインデックスを計算する。手がかりインデックスは、可能な情報ターゲットの源、特定のサイズのもっとも近い関係のサブセットを選定するやり方、および、結果を表示するための手段を提供する。しかし、従来の情報手がかりインデックスシステムは、コンテキスト（状況）からクエリーを計算しない。
【０００５】
Ｍｏｚｉｌｌａ  Ｆｉｒｅｆｏｘ（登録商標）等の従来のブラウザは、ウェブページからテキストの一部をハイライトし、次いで、Ｇｏｏｇｌｅ（商標）等の検索サービスを使用して検索を実行するのを要求するための機能を提供することがある。ハイライトされたテキストからの文字列が、クエリーとして使用される。次いで、ブラウザは、検索結果のページを提示する。しかし、これらの従来のブラウザは、コンテンツの分析は実行しない。ハイライトされたテキストは、単に検索文字列として扱われる。さらに検索は、ランクづけられたページの従来のリストを返し、持続性のある概観を提供しない。
【０００６】
非特許文献１において、Ｈｅｎｚｉｎｇｅｒは、ニュース情報のクエリーフリー（クエリーなしの）検索を記載している。この従来のシステムは、現在放送されているニュースに関連するニュース記事をウェブで見つけ出す。クエリーは、ニュース記事のクローズドキャプション（字幕）から計算され、情報ターゲットは、オンラインニュースストーリーの集合から計算される。
【０００７】
Google（商標）デスクトップサイドバーは、従来のクエリーフリー検索システムの例である。Google（商標）サイドバーは、ユーザに関係があるかもしれない情報のミニディスプレイを示すように試みる。たとえば、ユーザが一定の種類のニュース記事を見る傾向がある場合には、Google（商標）システムは、そのトピックの新しいニュース記事へのリンクを表示する。この従来のシステムはまた、ウェブクリップ、写真、最新ニュース、地域の天気等も示す。しかし、ユーザ関心プロファイルは、長期にわたって連続するクエリーにより形成される。したがって、表示される情報は、現在の情報採集活動に関係しないこともある。
【０００８】
従来のオンライン広告システムは、たとえばGoogle（商標）およびYahoo!（登録商標）等の企業によるバナー広告およびサイド広告の配置等の、ウェブページに広告を配置するためのテキスト分析を使用する。これらの従来のシステムは、現在のウェブページのコンテンツを分析し、次いで、ウェブページのコンテンツに関連した製品のためのバナー広告またはサイドバー広告を加える。しかし、これらの従来の技術は、ユーザが関心のある当該の関連資料の分析ではなく、ユーザのクエリーおよびキーワードオークションに基づいて、広告およびスポンサーリンクを選択する。
【０００９】
【非特許文献１】「クエリーフリーニュース検索」  Ｍｏｎｉｋａ  Ｈｅｎｚｉｎｇｅｒ、Ｂａｙ−Ｗｅｉ  Ｃｈａｎｇ、Ｂｒｉａｎ  Ｍｉｌｃｈ、Ｓｅｒｇｅｙ  Ｂｒｉｎ著、ＷＷＷカンファレンス２００３、２００３年５月２０〜２４日開催（"Query-Free News Search", Monika Henzinger, Bay-Wei Chang, Brian Milch, Sergey Brin, Proceedings of the 12th International World Wide Web Conference, 2003）
【発明の開示】
【発明が解決しようとする課題】
【００１０】
上記問題に鑑みて、本発明は、ユーザが現在収集しようとしている関心のある情報について、その収集を支援するための持続的状況認識ガイド（ガイド表示）を提供するシステム及び方法を提供することを目的とする。
【課題を解決するための手段】
【００１１】
作品の１つ以上のコンテンツ部分を読むための表示枠（reading pane）と、作品の現在表示されているコンテンツ部分の情報分析によって焦点を当てられる、コーパス（資料の集成）からの追加情報の構造化されたオーバービュー（概観）を表示するガイド枠と、を提供する技術が記載される。表示枠内に表示された現在表示されているコンテンツ部分のコンテンツを使用して、ユーザが現在関心のある動的表示を導出する。ユーザの要求により、構造化された持続的状況認識（context-aware）ガイドが計算され表示される。持続的状況認識ガイドは、もっとも関連のある情報を有するコーパスの他の部分にアクセスするためのフレームワークを提供する。持続的状況認識ガイドの要素は、コーパスの他のコンテンツ部分または他の構造、たとえば部分、章または記事を意味するか又は指す。持続的状況認識ガイドはまた、広告を含むコーパス外部からの近い関係の情報要素を追加的に組み込んでもよい。ガイド枠および表示枠は、コーパスのナビゲーション制御をサポートし、これによりユーザは、コンテンツ部分の新しい又は以前のサブ部分、新しい又は以前のコンテンツ部分、および／または、新しい又は以前の持続的状況認識ガイドへ移動することができる。
【００１２】
即ち、請求項１に係る発明は、持続的状況認識ガイドを提供する方法であって、コーパスからコンテンツ部分を表示し、前記コンテンツ部分から情報項目を判別し、前記コンテンツ部分からの前記情報項目に対応する、前記コーパスに対するガイド要素のセットを決定し、前記ガイド要素のセットを持続的状況認識ガイドに表示すること、を含むことを特徴とする。
【００１３】
前記方法において、前記コーパスは、本のページ、ウェブページ、デジタルライブラリの作品、および、情報フィードの作品の少なくとも１つを含んでいてよい。
【００１４】
前記方法において、前記コンテンツ部分の情報項目を判別することは、トピック識別、および、抽出されたエンティティ識別の少なくとも一方を含んでいてよい。
【００１５】
また、請求項４に係る発明は、持続的状況認識ガイドを提供するシステムであって、コーパスのコンテンツ部分から前記コンテンツ部分を抽出するための入出力マネージャと、現在表示されたコンテンツ部分の動的ユーザ関心情報を判断するためのコンテンツ分析マネージャと、コーパスガイド要素のセットと前記判断された動的ユーザ関心情報との関連性に基づいて、関心あるコーパスガイド項目を決定するための関心度マネージャと、前記コンテンツ部分および前記関心コーパスガイド項目に基づいて、持続的状況認識ガイドを決定するための持続的状況認識ガイドマネージャと、を備えることを特徴とする。
【発明を実施するための最良の形態】
【００１６】
図１は、本発明の実施形態による、例示的な持続的状況認識ガイドを提供するシステム１００の概要を示す。持続的状況認識ガイドを提供するシステム１００は、通信リンク９９を経由して、スマートフォン４００と、ドキュメント（文書）１０００〜１０１０のコーパス（資料の集成）へアクセスを提供する情報リポジトリ２００と、に接続される。
【００１７】
本発明にしたがった１つの例示的な実施形態において、スマートフォン４００のユーザは、情報リポジトリ２００からドキュメント１００１を要求する。要求は、通信リンク９９によって、持続的状況認識ガイドシステム１００へ送信される。持続的状況認識ガイドシステム１００は、情報リポジトリ２００へのアクセスを仲介する。持続的状況認識ガイド１００用のシステムは、ドキュメント１００１を抽出し、コンテンツ項目（アイテム）に基づいて、ユーザが関心のある情報を判断する。すなわち、ユーザ関心情報は、表示枠のドキュメントを分析することによって決定される。ユーザは、表示枠に表示されたドキュメントまたはそのコンテンツ部分の部分（セクション）を選択するかまたはハイライトするかによって、さらに焦点を絞って情報選択することができる。コンテンツ項目は、トピック情報、抽出されたエンティティ、単語、文章等を含んでもよいが、これらに限定されない。
【００１８】
コーパス内のインデックス項目の１つ以上のセットが決定される。コーパスインデックス項目は、抽出されたエンティティ、トピック、テーマコンセプト等のリストを含んでもよいが、これらに限定されない。コーパス内の関心項目は、コーパスインデックス項目と決定されたユーザ関心情報との間の類似性に基づいて識別される。コーパスインデックス項目と判断されたユーザ関心情報との間の整合（一致）または概念的オーバーラップは、コーパス内に含まれるユーザが関心のあるトピック、テーマまたは概念を示すものである。関心項目インジケータもまた、決定される。関心項目インジケータは、例えば関心インデックス項目内に表示される、ユーザ関心の視覚的インジケータ等の、ユーザインタフェース要素を提供する。たとえば、関心インジケータは、決定された関心コーパスインデックス項目に関連する付加的なリンクの数を示す数字であってもよい。次いで、持続的状況認識ガイドが、コーパス、関心コーパスインデックス項目および決定された関心項目インジケータに基づいて、決定される。
【００１９】
持続的状況認識ガイドおよびドキュメント１００１は、次いで、通信リンク９９によってスマートフォン４００へ送られる。しかし、様々な他の例示的な実施形態において、持続的状況認識ガイドシステム１００はまた、本発明の精神または範囲から逸脱することなく、スマートフォン４００または他の出力装置内に埋め込まれることもできることは言うまでもない。ドキュメント１００１および持続的状況認識ガイドは、任意選択的に、スマートフォン４００のディスプレイの表示枠またはガイド枠内に表示されることができる。持続的状況認識ガイドは、スマートフォン４００のユーザに、ユーザが関心のある、および現在表示されているコンテキストに基づいて、コーパスへの持続的で焦点を絞った関連コンテキストガイドを提供する。持続的状況認識ガイドの要素は、任意選択的に、コーパス内をナビゲートするように選択可能であることができる。
【００２０】
図２は、本発明の実施形態にしたがって持続的状況認識ガイドを生成するための例示的な方法のフローチャートを示す。プロセスは、ステップＳ１００で開始し、すぐにステップＳ２００へ進み、そこで、コンテンツ部分のコーパスが判断される。様々な例示的な実施形態において、コーパスは、ｈｔｔｐサーバ、ｆｔｐサーバによって提供される。しかし、本発明の範囲から逸脱することなく、コーパスがデジタルライブラリか、または、他のいずれの周知の情報源または今後開発される情報源に含まれてもよいことは明らかである。コンテンツ部分のコーパスを判断した後に、制御はステップＳ３００へ進む。
【００２１】
ステップＳ３００で、コンテンツ部分がコーパスから抽出される。コンテンツ部分は、ｈｔｔｐサーバ等によって提供されるウェブページまたはドキュメントであってよい。１つの例示的な実施形態において、コンテンツ部分は、ユーザが開始した検索エンジン等のクエリーによって戻された結果セットに関連するコンテンツ部分またはページである。コンテンツ部分は、プログラム制御下で自動的に選択されるか、または、手動で選択されるか、またはユーザによって入力されてもよい。コンテンツ部分が選択された後に、制御はステップＳ４００へ進む。
【００２２】
動的ユーザ関心情報が、ステップＳ４００で判断される。動的ユーザ関心情報は、現在表示されているコンテンツ部分を分析することによって、判断される。たとえば、様々な例示的な実施形態において、現在表示されているコンテンツ部分のトピック情報が判断される。判断されたトピックは、次いで、動的ユーザ関心情報を形成する。しかし、本発明の精神または範囲から逸脱することなく、現在のコンテンツ部分に基づいて即時ユーザ関心情報を動的に判断する他のいかなる周知の方法および／または今後開発される方法が使用されてもよいことは明らかである。ユーザ関心情報のこの動的判断は、情報採集を支援する。たとえば、ユーザは、ページを読み、現在のページに関連する情報へのガイドを形成し、ガイドの選択肢から読むべき新しいページを選択し、前のページに戻り、前のガイドに戻ることによって、情報採集する。これらの操作は、「フォーカス＋コンテキスト（Focus + Context）」情報採集を構成する。「フォーカス（情報の絞込み）」は、枠を読むことによって提供される。「コンテキスト（前後関係）」は、持続的状況認識ガイドによって提供され、これは、訪れるべき関連場所のセットを提供する。ハイライト等によって、ユーザがページ上の特定の情報を選択するときには、より絞り込まれたフォーカスが得られる。動的ユーザ関心情報が判断された後に、制御はステップＳ５００へ進む。
【００２３】
ステップＳ５００で、コーパスからのインデックス項目のセットが決定される。コーパス項目のセットは、コンテンツの目次、コーパスから抽出されたエンティティ、手動でまたは自動的に生成されたインデックス、および／または、その他の任意のコーパス内の関連項目のセットであってもよい。１つの例示的な実施形態においては、複数のタイプおよび／またはソースが使用される。保護された作品、たとえば、デジタルブック、ジャーナル、新聞等がインデックスされ、インデックスは次いで、他の資料と融合するために利用可能にされる。これにより保護された作品のコーパスまたはライブラリは検索のために利用可能になる。これらの保護されたコンテンツ部分へのリンクは全てユーザに示され、要求に応じた関連資料の獲得を容易にする。したがって、いくつかの例示的な実施形態において、保護された作品に関連したインデックス項目は、ディスプレイ特徴、シンボルたとえば通貨文字、単語等によって示される。コーパスからのインデックス要素は、次いで辞書式に順序づけられる。コーパスからのインデックス要素が決定された後に、制御はステップＳ６００へ進む。
【００２４】
ステップＳ６００で、関心コーパス項目が、コーパスからのインデックス項目および現在のコンテンツ部分から決定された動的ユーザ関心情報に基づいて決定される。たとえば、１つの例示的な実施形態において、コーパスからのインデックス項目は、現在表示されているコンテンツ部分から導き出されたユーザ関心情報と比較される。コーパスからのインデックス項目のユーザ関心の程度、および／または、現在のコンテンツ部分からのユーザ関心情報との意味論的オーバーラップの程度、を使用して、関心項目、すなわち、ページのガイド要素に対応する表示枠内の情報を決定する。関心項目は、例えばハイパーリンクテキスト、シンボル等のような関心項目インジケータによって示される。いくつかの例示的な実施形態において、関心項目インジケータは、どれだけのコーパス情報が関心項目に関連しているかを示す数字指標または他の指標を提供する。他の例示的な実施形態において、関心インジケータを使用して、保護された作品たとえばデジタルブック、ジャーナル、記事等にアクセスするのに関する追加料金または費用を知らしめてもよい。関心インジケータが決定された後に、制御はステップＳ７００へ進む。
【００２５】
コーパスへの持続的状況認識ガイドが、ステップＳ７００で、決定される。持続的状況認識ガイドは、コーパスからのインデックス項目のセット、関心項目および関心項目インジケータに基づいている。持続的状況認識ガイドが決定された後に、制御はステップＳ８００へ進む。
【００２６】
ステップＳ８００で、持続的状況認識ガイドが、ガイド枠に表示される。様々な例示的な実施形態において、表示枠およびガイド枠は、両方とも持続的である。さらに他の実施形態において、表示枠およびガイド枠は、ナビゲーションコントロールをも有してもよい。表示枠およびガイド枠を共に使用することは、フォーカス＋コンテキスト情報採集を支援する。様々な例示的な実施形態において、持続的状況認識ガイドは、１つ以上の抽出されたエンティティ、現在のページを参照するインデックス項目、類似上位語を備えたエンティティ等のうちの一つまたはこれらを組み合わせたものに基づく。持続的状況認識ガイドは、ユーザが情報検索および検索活動を構築するために使用することができる持続性のあるフレームワークを提供する。
【００２７】
本発明にしたがった様々な例示的な実施形態において、コーパスインデックス項目、抽出されたエンティティ、および／または、ガイド枠に表示された他のガイド要素の１つ以上が、スポンサーガイド要素または広告ガイド要素である。スポンサーガイド要素は、ユーザが気づいていないかもしれない情報へのアクセス、および、以前にはアクセスしていなかったかもしれない情報へのアクセスを提供する。類似情報を検索するためのツールの使用からもわかるように、ユーザがスポンサー情報または保護された情報を購入する可能性が高い。本発明にしたがったさらに他の実施形態において、持続的状況認識ガイドは、スポンサーガイド要素および／または広告ガイド要素を、辞書式順序に基づいて持続的状況認識ガイドに論理的に配置するか、適切または正しいヘッダー、上位語等の下に配置することを可能にする。
【００２８】
持続的状況認識ガイドが表示された後、制御はステップＳ９００へ進み、そこで、ユーザ対話（インタラクション）が判断される。ユーザ対話は、ドキュメント内のナビゲーション、表示枠内のナビゲーション、ガイド枠内のナビゲーション、および、セッションの終了を含んでもよいが、これらに限定されない。制御は、次いで、ステップＳ１０００へ進み、そこで、セッションの終了がユーザによって入力されているか、プログラムによって示されているか、または、他の方法で示されているか否か、に関する判断がなされる。セッションの終了が決定されていないと判断された場合には、制御は、ステップＳ１１００へ進み、そこで、ガイド枠および／または表示枠が、ユーザの対話に基づいて更新される。制御は次いで、直にステップＳ４００へ飛ぶ。次いで、セッションの終了が知らされたと判断されるまで、ステップＳ４００〜Ｓ１１００が繰り返される。制御は、次いで、ステップＳ１２００へ進み、プロセスは終了する。
【００２９】
図３は、本発明の実施形態にしたがった持続的状況認識ガイドを提供する例示的なシステム１００である。持続的状況認識ガイドシステム１００は、プロセッサ１０と、メモリ１５と、コンテンツ分析決定回路またはマネージャ２０と、関心度決定回路またはマネージャ２５と、持続的ガイド決定回路またはマネージャ３０と、ディスプレイ回路またはマネージャ３５と、から構成され、各々が入出力回路５に接続され、通信リンク９９を経由して、スマートフォン４００と、ドキュメントまたはコンテンツ部分１０００〜１０１０のコーパスへアクセスを提供する情報リポジトリ２００と、に接続される。
【００３０】
本発明にしたがった１つの例示的な実施形態において、スマートフォン４００のユーザは、情報リポジトリ２００にドキュメント１００１を要求する。要求は、通信リンク９９によって伝送され、持続的状況認識ガイドシステム１００によって仲介される。持続的状況認識ガイドシステム１００のプロセッサ１０は、入出力回路５を起動して情報リポジトリ２００からドキュメント１００１を検索し、ドキュメント１００１をメモリ１５に格納する。プロセッサ１０は、コンテンツ分析決定回路またはマネージャ２０を起動して動的ユーザ関心情報を決定する。動的ユーザ関心情報は、ユーザが現在レビューしている情報に基づく。すなわち、現在のおよび／またはその時に表示されたドキュメント１００１が分析され、現在のユーザ関心を決定する。ユーザが新しいドキュメントまたはコンテンツ部分へナビゲートするときには、ユーザ関心情報は、新しく表示されたドキュメントまたはコンテンツ部分に基づいて動的に且つ即座に更新される。様々な他の実施形態において、コンテンツ部分のすべてまたは一部をハイライトする等のユーザによる対話を使用して、表示されたドキュメントまたはコンテンツ部分にユーザ関心の特定領域を示すことができる。
【００３１】
プロセッサ１０は、次いで、関心度決定回路またはマネージャ２５を起動する。関心度決定回路またはマネージャ２５は、ドキュメントのコーパスに関連したインデックス項目のセットからユーザが関心のあるインデックス項目のセットを選択する。コーパスインデックス項目のセットは、動的にまたは先のステップで決定されてもよい。
【００３２】
プロセッサ１０は、次いで、持続的ガイド決定回路またはマネージャ３０を起動して、決定された動的ユーザ関心情報と同一であるかまたは類似する関心コーパスインデックス項目を選択する。選択された関心コーパスインデックス項目へのリンクは、持続的状況認識ガイドに表示される。
【００３３】
プロセッサ１０は、次いで、ディスプレイ回路またはマネージャ３５を起動して、持続的状況認識ガイドを表示し、且つ／または、スマートフォン４００に表示するために、生成され表示可能な持続的状況認識ガイドを通信リンク９９によって伝送する。様々な例示的な実施形態において、コンテンツ部分は表示枠内に表示され、状況認識ガイドはガイド枠内に表示される。
【００３４】
図４は、本発明の態様にしたがってガイド枠６００に表示された例示的な持続的状況認識ガイド（ガイド表示）６１０を示す。持続的状況認識ガイド６１０は、関連トピックのインデックスから構成される。関連トピックは、ドキュメントまたはコンテンツ部分のコーパスのドキュメントまたはコンテンツ部分の一部に関連する。
【００３５】
本発明にしたがった様々な例示的な実施形態の１つにおいて、持続的状況認識ガイドは、現在表示されているドキュメントまたはコンテンツ部分から抽出された用語に基づいて、コーパスのために予め編集されたインデックスから要素を選択することによって決定される。たとえば、anthrax（炭疽菌）、tularemia（野兎病）、Q fever（Ｑ熱）、brucellosis（ブルセラ症）、glanders（鼻疽）およびplague（ペスト）という用語は、すべて、現在表示されているドキュメントまたはコンテンツ部分に明示的にはっきりと記載されている。このようにして、コーパスインデックスから動的ユーザ関心情報に対応する概念が、持続的状況認識ガイド内に表示するために選択される。
【００３６】
本発明にしたがった例示的な実施形態の１つにおいて、抽出された用語のセットの上位語が決定され、トピックヘッダーとして使用される。たとえば、「diseases（疾病）」という用語は、炭疽菌、野兎病、Ｑ熱、ブルセラ症、鼻疽およびペストという用語の上位語である。したがって、これらの抽出された用語の各々は、状況認識ガイド６１０の抽出されたトピックエントリー７２０としてのトピックヘッダー「diseases（疾病）」の下に現れ、これに関連する。
【００３７】
各疾病はまた、持続的状況認識ガイド６１０の個別のリンクとして現れる。持続的状況認識ガイド６１０は、ユーザがキーを打つかコマンドを入力するとき等に動的に計算され、且つ／または、生成される。
【００３８】
図５は、本発明の態様にしたがってガイド枠６００に表示された第２の例示的な持続的状況認識ガイド６２０を示す。ユーザが、ガイド枠６００に表示された持続的状況認識ガイドからトピック「Biopreparat（バイオプレパラト）」７１０を選択すると、「バイオプレパラト」に関するエントリーが展開される。この展開は、ユーザが、現在のドキュメントまたはコンテンツ部分内のコンテキストを維持しながら他の潜在的に関係のあるリンクを見るのを可能にする。情報を、展開、圧縮、または、他のやり方で変形することができる。様々な例示的な実施形態において、ジェスチャー、すなわち、ユーザ関心かまたはフォーカスの印（インジケーション）を使用して、表示枠５００およびガイド枠６００内に表示された情報に関するコンテキストを維持しながら表示された情報の量に対して他の調整を行うことができる。
【００３９】
コーパスインデックスエントリー「バイオプレパラト」７１０下の最初のサブトピックインデックスエントリーは、「Anglo-American demarche and（アングロアメリカの政策及び…）」７１１である。コーパスインデックスエントリー「アングロアメリカの政策」は、コンテンツ部分５１０内では直接言及されていない。しかし、「バイオプレパラト」７１０のコーパスインデックスエントリーを選択するというユーザ選択が、「バイオプレパラト」７１０のコーパスインデックスエントリーに関連するすべてのサブトピックコーパスインデックスエントリーへのユーザ関心を暗示するため、サブトピックコーパスインデックスエントリーは、ガイド枠に表示された展開トピックに含まれる。
【００４０】
コーパスインデックスエントリー「バイオプレパラト」７１０下の１０番目のサブトピックは、「facilities and installations of ix-x, 42-3, 81, 82（…の施設および設備  ｉｘ−ｘ、４２−３、８１、８２）」である。このサブトピックコーパスインデックスエントリーは、現在表示されているドキュメントまたはコンテンツ部分に整合するため、前の持続的状況認識ガイドに表示された。すなわち、現在表示されているドキュメントは、アラル海の荒涼とした島を記載しており、これは実際、「バイオプレパラト」施設の１つであった。「バイオプレパラト」という用語も「施設」という用語も、現在表示されているドキュメントまたはコンテンツ部分には見いだせないことに注意されたい。このように、本発明の範囲から逸脱することなく、自動および／または手動で形成されたインデックスを使用してもよいこともまた明らかである。
【００４１】
３４番目のコーパスインデックスエントリー７１３は、値「U.S. tour delegation of（…の米国視察派遣団）」を含む。このコーパスインデックスエントリーは、コーパスインデックスエントリー「バイオプレパラト」７１０が展開したときに表示される。しかし、３４番目のコーパスインデックスエントリー７１３は、先述の持続的状況認識ガイドには表示されなかったが、それは、コーパスインデックスエントリーが、現在表示されているドキュメントまたはコンテンツ部分からの要素のいずれに整合しなかったからである。
【００４２】
図６は、本発明の態様にしたがってガイド枠６００内に表示された第３の例示的な持続的状況認識ガイド６３０を示す。持続的状況認識ガイド６３０は、ユーザが、コーパスインデックスエントリー「diseases（疾病）」を展開したときに起こる展開を示す。結果として得られる持続的状況認識ガイド６３０は、コーパス内で言及された疾病の各々へのリンクを列挙する。すなわち、コンテンツ部分で識別され、対応するコーパスインデックスエントリーを有する各疾病が、ガイド枠６００に表示された持続的状況認識ガイド６３０にリストされる。
【００４３】
持続的状況認識ガイドの最初の行は、値「diseases（３８）」を含む。これは、「diseases（疾病）」トピック内に３８エントリーがあることを示す。第２の行は、値「アフリカ豚コレラ  ３８」を含む。ユーザは、ガイド枠６００に表示された持続的状況認識ガイド６３０のリンクを選択することによって「アフリカ豚コレラ」のコーパスインデックスエントリーに関連したコンテンツ部分を表示する。次いで表示枠は、現在表示されたページｉｘからページ３８へ更新される。
【００４４】
第３の行は、値「ＡＩＤＳ、１９、１０９、１１０」７２２を含む。１つの例示的な実施形態において、ガイド枠６００の「ＡＩＤＳ」コーパスインデックスエントリーのページ番号を選択すると、表示枠５００内にその関連ページを表示する。持続的状況認識ガイド６３０は、情報採集活動中のユーザのフォーカスおよびコンテキストを維持する。
【００４５】
第４の行は、値「anthrax、ｉｘ−ｘ、６−８、２０、３６、４２、５１、７２−５、７７−９、８１−２、ｐ４−ｐ５、ｐ７、８３−６、８８、９７−９、１０５、１１５」７２３を含む。これらのコーパスインデックスエントリーは、用語「anthrax（炭疽菌）」に関連するとして識別されたコーパスのドキュメントまたはコンテンツ部分を示す。第５の行は、値「Anthrax、７−８、７６−８、ｐ−４、８７、８９、１０５、１１８を含む。これらのコーパスインデックスエントリーは手動で生成され、用語「anthrax（炭疽菌）」に関連するコーパスのドキュメントまたはコンテンツ部分を示す。「Anthrax（炭疽菌）」という用語の大文字化は、ユーザがインデックス情報の複数のソース（情報源）を区別するのを可能にする。さらに他の例示的な実施形態において、付加的な表示特性、たとえば、色、下線、フォントサイズ等を使用して、様々なインデックス源のエントリーの起点を知らしめてもよい。たとえば、別の実施形態では、有料プレースメント（表示枠）または広告要素は、表示特性、たとえば、大文字化、ハイライト、フォント、色、下線等で区別することによって示される。さらに他の例示的な実施形態では、複数のソースからの情報は、一体化されるか、または単一のコーパスインデックスエントリーに融合される。
【００４６】
図７は、本発明の態様にしたがった第４の例示的な持続的状況認識ガイド６４０を示す。持続的状況認識ガイド６４０は、コーパスのドキュメントまたはコンテンツ部分から抽出されるべきエンティティ（実体）のリスト８００を使用する。エンティティは、年、人、企業、および／または、他の周知のエンティティかまたは後に特定されるか名前をつけられるか抽出されるエンティティを含んでもよいが、それらに限定されない。
【００４７】
本発明にしたがった１つの例示的な実施形態において、ユーザは、名前をつけられたエンティティの「企業」タイプを選択することによって、１セットのドキュメントまたはコンテンツ部分に、企業の様々なタイプを参照するすべての参照を見出す。これは、情報採集および／またはブラウジング活動を支援する。
【００４８】
図８は、本発明の態様にしたがった第５の例示的な持続的状況認識ガイド６５０を示す。持続的状況認識ガイド６５０は、コーパスの１つ以上のドキュメントまたはコンテンツ部分から抽出された「年」タイプのインデックスエントリー９１０の展開リストを示す。関係のある年エントリーに関連したページ数９１１が選択されると、関連するコンテンツ部分５４０が表示される。
【００４９】
図９は、本発明にしたがった第６の例示的な持続的状況認識ガイド６６０を示す。ユーザは、表示枠５００に表示されたドキュメントまたはコンテンツ部分５３０の一部をハイライトすることによって、さらにユーザ関心情報の焦点を絞り込む。選択された部分５３１内に含まれる要素を使用して、持続的状況認識ガイド６６０が形成される。持続的状況認識ガイド６６０は、ガイド要素のセットを提供する。ガイド要素は、インデックスエントリー、リンク、または、選択された部分５３１に関係のある資料を含むドキュメントのコーパスまたはコンテンツ部分内の他の場所への接続である。様々な例示的な実施形態において、持続的状況認識ガイド６６０は、複数のソースからコーパス項目を含む。たとえば、手動で生成されたインデックスからのインデックスエントリーは、コーパス、有料プレースメントおよび／または広告要素およびインデックスの他のソースから自動的に抽出されたインデックスエントリーのリストと組み合わされてもよい。インデックスエントリーの組み合わされたリストは、辞書式順序、且つ／または、融合され、ブラウジングを支援するガイド要素として表示される。
【００５０】
図１０は、本発明の実施形態にしたがった第１の例示的なコンテンツ部分５１０である。コンテンツ部分５１０のハイライトされた部分１２０１の全体部分を使用して、現在のユーザ関心情報を動的に決定する。すなわち、コンテンツ部分において識別された項目を使用して、ユーザの関心がある情報を動的に判断（決定）する。項目は、コンテンツ部分５１０内のトピック、文、単語および／または他の意味論的構造物を含んでもよい。
【００５１】
図１１は、本発明の実施形態にしたがった第２の例示的なコンテンツ部分５１０である。コンテンツ部分５１０のサブ部分１２０２を使用して、ユーザの関心がある情報を動的に決定する。様々な例示的な実施形態において、コンテンツ部分５１０のサブ部分１２０２において識別された項目を使用して、ユーザ関心情報を動的に決定し、且つ／または、さらに動的に絞り込む。項目は、コンテンツ部分５１０内のトピック、文、単語および／または他の意味論的単位であってよい。
【００５２】
様々な例示的な実施形態において、様々なタイプのマーキングまたは表記法を使用して、インデックス項目を指定する。たとえば、インデックス項目はまた、本発明の範囲から逸脱することなく、ガイド要素として使用するためにインデックスから抽出されるかまたは選択されてもよい。
【００５３】
持続的状況認識ガイドは、ドキュメントまたはコンテンツ部分内のユーザの現在の場所へ個人特化されたコーパスの情報コンテンツの概観を提供する。本発明にしたがった様々な例示的な実施形態において、コーパスのインデックス項目は、トピック、テーマ、キーワード等を含む。
【００５４】
持続的状況認識ガイドシステム１００の様々な例示的な実施形態において、上記に説明された回路５〜３５の各々は、適切にプログラムされた汎用コンピュータの一部として実施することができる。あるいは、上記に概略された持続的状況認識ガイドシステム１００の回路５〜３５は、ＡＳＩＣ内の物理的に別個のハードウェア回路として、または、ＦＰＧＡ、ＰＤＬ、ＰＬＡまたはＰＡＬを使用して、または、別々の論理要素または別々の回路要素を使用して、実施することができる。上記に説明された持続的状況認識ガイドシステム１００の回路１０〜３５の各々が取る特定の形態は、設計上の選択であり、当業者には明らかであり予測可能である。
【００５５】
さらに、持続的状況認識ガイドシステム１００および／または上記に検討された様々な回路の各々は、プログラムされた汎用コンピュータ、専用コンピュータ、マイクロプロセッサ等で実行されるソフトウェアルーチン、マネージャまたはオブジェクトとして各々実施することができる。この場合、持続的状況認識ガイド１００用のシステムおよび／または上記に検討された様々な回路の各々は、通信ネットワークに埋め込まれた１つまたはそれ以上のルーチンとして、サーバ上に格納されたリソースとして等、各々実施することができる。持続的状況認識ガイドシステム１００および／または上記に検討された様々な回路はまた、持続的状況認識ガイドシステム１００を、ソフトウェアおよび／またはハードウェアシステム、たとえば、ウェブサーバまたはクライアント装置のソフトウェアおよびハードウェアシステムに、物理的に組み込むことによって、実施することができる。
【００５６】
図３に示されるように、メモリ１５は、可変、揮発性または不揮発性メモリまたは不可変、または固定メモリのいずれの適切な組み合わせを使用して、実施することができる。可変メモリは、揮発性であれ不揮発性であれ、静的または動的ＲＡＭ、フロッピィディスクおよびディスクドライブ、書込可能または書換可能光ディスクおよびディスクドライブ、ハードドライブ、フラッシュメモリ等の任意の１つ以上を使用して、実施することができる。同様に、不可変または固定メモリは、ＲＯＭ、ＰＲＯＭ、ＥＰＲＯＭ、ＥＥＰＲＯＭ、例えばＣＤ−ＲＯＭまたはＤＶＤ−ＲＯＭディスクのような光ＲＯＭディスク、および、ディスクドライブ等のいずれの１つまたはそれ以上を使用して、実施することができる。
【００５７】
図１および３に示された通信リンク９９は、各々が、通信装置を持続的状況認識ガイドシステム１００に接続するための任意の周知の装置またはシステムか、または今後開発される装置またはシステムであってよく、直接ケーブル接続、ワイドエリアネットワークまたはローカルリアネットワークによる接続、イントラネットによる接続、インターネットによる接続、または、他のいずれの分散処理ネットワークまたはシステムによる接続を含む。一般に、通信リンク９９は、装置を接続し通信を支援にするために使用可能な任意の周知の接続システムまたは構造、または今後開発される接続システムまたは構造でありえる。
【００５８】
さらに、通信リンク９９は、ネットワークへの有線リンクまたは無線リンクであってよい。ネットワークは、ローカルリアネットワーク、ワイドエリアネットワーク、イントラネット、インターネット、または、他のいずれの分散処理および格納ネットワークであってよい。
【００５９】
本発明は、上記に概略された例示的な実施形態に関して記載されてきたが、当業者には多くの代替例、修正例および変化例が明らかであることは明白である。したがって、本発明の例示的な実施形態は、上記に述べられているように、限定ではなく、例示的であることが意図されている。本発明の精神または範囲から逸脱することなく、様々な変更がなされてよい。
【図面の簡単な説明】
【００６０】
【図１】本発明の実施形態による、持続的状況認識ガイドを提供するシステムの概要を示す図である。
【図２】本発明の実施形態による、持続的状況認識ガイドを生成するための方法のフローチャートである。
【図３】本発明の実施形態による、持続的状況認識ガイドを提供するシステムである。
【図４】本発明の実施形態による、ガイド枠に表示された持続的状況認識ガイドの実施例を示す図である。
【図５】本発明の実施形態による、ガイド枠に表示された持続的状況認識ガイドの第２の実施例を示す図である。
【図６】本発明の実施形態による、ガイド枠内に表示された持続的状況認識ガイドの第３の実施例を示す図である。
【図７】本発明の実施形態による、持続的状況認識ガイドの第４の実施例を示す図である。
【図８】本発明の実施形態による、持続的状況認識ガイドの第５の実施例を示す図である。
【図９】本発明による持続的状況認識ガイドの第６の実施例を示す図である。
【図１０】本発明の実施形態による第１の例示的なコンテンツ部分である。
【図１１】本発明の実施形態による第２の例示的なコンテンツ部分である。
【符号の説明】
【００６１】
５  入出力回路
１０  プロセッサ
１５  メモリ
２０  コンテンツ分析決定回路またはマネージャ
２５  関心度決定回路またはマネージャ
３０  持続的ガイド決定回路またはマネージャ
３５  ディスプレイ回路またはマネージャ
４５  ディスプレイ回路またはマネージャ
９９  通信リンク
１００  持続的状況認識ガイド
２００  情報リポジトリ
４００  スマートフォン
５００  表示枠
５１０  コンテンツ部分
５３０  コンテンツ部分
５３１  選択された部分
５４０  コンテンツ部分
６００  ガイドペーン
【図１】
2008033929.tif 000003
【図２】
2008033929.tif 000004
【図３】
2008033929.tif 000005
【図４】
2008033929.tif 000006
【図５】
2008033929.tif 000007
【図６】
2008033929.tif 000008
【図７】
2008033929.tif 000009
【図８】
2008033929.tif 000010
【図９】
2008033929.tif 000011
【図１０】
2008033929.tif 000012
【図１１】
2008033929.tif 000013